【手続補正書】
【提出日】平成24年1月25日(2012.1.25)
【手続補正１】
【補正対象書類名】特許請求の範囲
【補正対象項目名】全文
【補正方法】変更
【補正の内容】
【特許請求の範囲】
【請求項１】
送信装置が送信したデータを、第１の通信装置および第２の通信装置を含む複数の通信装置で中継する通信システムであって、
前記第１の通信装置は、
他の通信装置が送信したデータに対する応答を前記複数の通信装置から受信する第１の受信手段と、
前記第１の受信手段により受信した前記応答に基づいて、前記データの中継順番を変更する変更手段と、
前記変更手段により変更した中継順番を送信する第１の送信手段と
を有し、
前記第２の通信装置は、
前記第１の送信手段により送信された前記中継順番を受信する第２の受信手段と、
他の通信装置から前記データを受信する第３の受信手段と、
前記第２の受信手段により受信した前記中継順番に応じて、前記第３の受信手段により受信した前記データを送信する第２の送信手段と
を有することを特徴とする通信システム。
【請求項２】
通信装置であって、
他の通信装置が送信したデータに対する応答を複数の通信装置から受信する第１の受信手段と、
前記第１の受信手段により受信した前記応答に基づいて、前記データの中継順番を変更する変更手段と、
前記変更手段により変更した前記中継順番を送信する送信手段と
を有することを特徴とする通信装置。
【請求項３】
前記中継順番を含む前記データを前記他の通信装置から受信する第２の受信手段
を更に有し、
前記送信手段は、前記データに前記変更手段により変更された前記中継順番を含めて送信する
ことを特徴とする請求項２に記載の通信装置。
【請求項４】
前記第２の受信手段により受信した前記中継順番に基づいて、前記通信装置が前記データを送信する順番であるか否かを判定する判定手段
を更に有し、
前記送信手段は、前記判定手段による判定結果に応じて前記データを送信する
ことを特徴とする請求項３に記載の通信装置。
【請求項５】
前記第１の受信手段により受信した前記応答には、前記複数の通信装置の各々が前記中継順番を受信したか否かの応答が含まれており、
前記判定手段は、前記第２の受信手段により受信した前記中継順番と前記第１の受信手段により受信した前記応答とに基づいて、前記通信装置が前記データを送信する順番であるか否かを判定する
ことを特徴とする請求項４に記載の通信装置。
【請求項６】
前記判定手段は、前記第２の受信手段により受信した前記中継順番に基づいて前記通信装置が前記データを送信する順番になった場合であっても、前記第１の受信手段により前記複数の通信装置の全てから前記中継順番を正常に受信したことを示す応答を受信していないときには、前記通信装置が前記データを送信する順番でないと判定する
ことを特徴とする請求項５に記載の通信装置。
【請求項７】
前記判定手段は、前記第２の受信手段により受信した前記中継順番で前記データを送出すべき他の通信装置による中継が始まらず、前記第２の受信手段により受信した前記中継順番よりも以前に変更された前記中継順番で前記通信装置が前記データを送信する順番であった場合、前記通信装置が前記データを送信する順番であると判定する
ことを特徴とする請求項４に記載の通信装置。
【請求項８】
前記以前に変更された前記中継順番は、前記第１の受信手段により前記複数の通信装置の全てから前記中継順番を正常に受信したことを示す応答を受信した時点の中継順番である
ことを特徴とする請求項７に記載の通信装置。
【請求項９】
前記第１の受信手段により受信した前記応答に基づいて、前記第２の受信手段により受信した前記データを更新する更新手段
を更に有し、
前記送信手段は、前記更新手段により更新された前記データを送信する
ことを特徴とする請求項３乃至８のいずれか１項に記載の通信装置。
【請求項１０】
前記更新手段は、既に正常にデータを受信している他の通信装置のためのデータを削除する
ことを特徴とする請求項９に記載の通信装置。
【請求項１１】
前記第２の受信手段は、前記データをスーパーフレーム毎に受信し、
前記送信手段は、前記第２の受信手段により前記データを受信したスーパーフレーム内のタイムスロットで前記データを送信する
ことを特徴とする請求項３乃至１０のいずれか１項に記載の通信装置。
【請求項１２】
前記第１の受信手段により受信した前記応答に基づいて、前記データの受信に失敗した他の通信装置の前記データを多く正常に受信している他の通信装置を判定する他装置判定手段
を更に有し、
前記変更手段は、前記他装置判定手段による判定結果に基づいて前記中継順番を変更する
ことを特徴とする請求項２乃至１１のいずれか１項に記載の通信装置。
【請求項１３】
前記データの中継に関する履歴に基づいて、前記データの受信に失敗した他の通信装置に対して前記データを最も多く正常に中継している他の通信装置を判定する他装置判定手段
を更に有し、
前記変更手段は、前記他装置判定手段による判定結果に基づいて前記中継順番を変更する
ことを特徴とする請求項２乃至１２のいずれか１項に記載の通信装置。
【請求項１４】
前記変更手段は、他の通信装置が前記データを送出するタイミングを変更し、
前記送出手段は、前記変更手段により変更されたタイミングを含む前記データを送出する
ことを特徴とする請求項２乃至１３のいずれか１項に記載の通信装置。
【請求項１５】
前記変更手段は、前記タイミングを変更することにより生じた帯域に別のデータを送信するためのタイムスロットを確保する
ことを特徴とする請求項２乃至１４のいずれか１項に記載の通信装置。
【請求項１６】
通信装置の処理方法であって、
受信手段が、他の通信装置が送信したデータに対する応答を複数の通信装置から受信する工程と、
変更手段が、前記受信手段により受信した前記応答に基づいて、前記データの中継順番を変更する工程と、
送信手段が、前記変更手段により変更した前記中継順番を送信する工程と
を有することを特徴とする処理方法。
【請求項１７】
請求項１６記載の各工程をコンピュータに実行させるためのプログラム。
【手続補正２】
【補正対象書類名】明細書
【補正対象項目名】発明の名称
【補正方法】変更
【補正の内容】
【発明の名称】通信システム、通信装置、その処理方法及びプログラム
【手続補正３】
【補正対象書類名】明細書
【補正対象項目名】０００１
【補正方法】変更
【補正の内容】
【０００１】
本発明は、通信システム、通信装置、その処理方法及びプログラムに関する。
【手続補正４】
【補正対象書類名】明細書
【補正対象項目名】０００７
【補正方法】変更
【補正の内容】
【０００７】
上記目的を達成するため、本発明の一態様は、送信装置が送信したデータを、第１の通信装置および第２の通信装置を含む複数の通信装置で中継する通信システムであって、前記第１の通信装置は、他の通信装置が送信したデータに対する応答を前記複数の通信装置から受信する第１の受信手段と、前記第１の受信手段により受信した前記応答に基づいて、前記データの中継順番を変更する変更手段と、前記変更手段により変更した中継順番を送信する第１の送信手段とを有し、前記第２の通信装置は、前記第１の送信手段により送信された前記中継順番を受信する第２の受信手段と、他の通信装置から前記データを受信する第３の受信手段と、前記第２の受信手段により受信した前記中継順番に応じて、前記第３の受信手段により受信した前記データを送信する第２の送信手段とを有することを特徴とする。